【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
蛍光物質が施された被照明体に対して紫外光を照射する光源部と、
前記被照明体から反射された光を集光する集光体と、
前記被照明体と前記集光体との間の光路上に配置された透過部材と、
前記透過部材を保持する保持体と、
主走査方向に沿って配列された複数の光電変換素子を含み、前記集光体により集光された光を電気信号へと変換するイメージセンサと、
前記被照明体と前記イメージセンサとの間に配置され、前記被照明体により反射される光のうち、紫外光をカットし、前記蛍光物質により発生する蛍光を透過する紫外カット部と、
を有するイメージセンサユニットであって、
前記光源部から照射された紫外光の一部を、前記被照明体を介さずに前記イメージセンサに入射させるように反射する反射部を備えており、
前記反射部は、前記保持体の前記イメージセンサ側の面に設けられており、
前記反射部の前記主走査方向と垂直な副走査方向における幅が、前記集光体の前記副走査方向における幅よりも広く、
前記保持体が遮光性を有する材料で形成されている、
ことを特徴とするイメージセンサユニット。
【請求項２】
前記イメージセンサは、平面視において、前記集光体と重なり合う一方、前記紫外カット部とは重なり合わない位置に配置された紫外検出部を有することを特徴とする請求項１に記載のイメージセンサユニット。
【請求項３】
前記紫外検出部は、前記被照明体の画像を読取る範囲である有効読取範囲の外側に配置されることを特徴とする請求項２に記載のイメージセンサユニット。
【請求項４】
前記紫外カット部を有するフィルタ部材を有し、前記フィルタ部材は、紫外光が透過する紫外透過部を有し、前記紫外検出部は、平面視において、前記紫外透過部と重なり合う位置に配置されることを特徴とする請求項２または３に記載のイメージセンサユニット。
【請求項５】
前記光源部、前記集光体、前記イメージセンサ、および、前記紫外カット部を収容するフレームを有し、前記フレームは前記保持体を含んでいることを特徴とする請求項１ないし４の何れか１項に記載のイメージセンサユニット。
【請求項６】
前記反射部の少なくとも一部は、平面視において、前記集光体と重なり合う一方、前記紫外カット部とは重なり合わない位置に配置されることを特徴とする請求項１ないし５の何れか１項に記載のイメージセンサユニット。
【請求項７】
前記反射部は、前記被照明体の画像を読取る範囲である有効読取範囲の外側に配置されることを特徴とする請求項１ないし６の何れか１項に記載のイメージセンサユニット。
【請求項８】
前記反射部は、平面視において、前記集光体の主走査方向における一方側の端部または両側の端部と重なり合う位置に配置されることを特徴とする請求項１ないし７の何れか１項に記載のイメージセンサユニット。
【請求項９】
前記反射部は、紫外光により励起されて蛍光を発生する材料を含むことを特徴とする請求項１ないし８の何れか１項に記載のイメージセンサユニット。
【請求項１０】
前記保持体が黒色に着色されていることを特徴とする請求項１ないし９の何れか１項に記載のイメージセンサユニット。
【請求項１１】
前記主走査方向に垂直で前記副走査方向に平行な断面において、前記反射部と前記集光体の入射面が向かい合っており、且つ前記光源部からの光は前記被照明体を斜めから照明するとともに、前記反射部を前記被照明体とは違う角度から斜めに入射することを特徴とする請求項１ないし１０の何れか１項に記載のイメージセンサユニット。
【請求項１２】
前記光源部は、複数の光源を有しており、前記複数の光源同士が電気的に導通されている、ことを特徴とする請求項１ないし１１の何れか１項に記載のイメージセンサユニット。
【請求項１３】
前記光源部は、複数の光源を有しており、前記複数の光源は前記主走査方向に沿って二列以上に並んで配列されている、ことを特徴とする請求項１ないし１１の何れか１項に記載のイメージセンサユニット。
【請求項１４】
前記被照明体からの紫外光をカットするフィルタ部材を備えており、前記フィルタ部材は前記集光体の前記イメージセンサ側の面に沿って配置されている、ことを特徴とする請求項１ないし１３の何れか１項に記載のイメージセンサユニット。
【請求項１５】
前記イメージセンサが実装されるセンサ基板を備えており、前記センサ基板上には、前記光源部の基準となる照射強度の情報を記憶する照度記憶回路と、前記光源の照射強度と前記照度記憶回路に記憶された前記基準となる照射強度とを比較する照度比較回路と、前記照度比較回路で比較した結果に基づいて前記光源部を駆動する駆動回路と、が実装されている、ことを特徴とする請求項１ないし１４の何れか１項に記載のイメージセンサユニット。
【請求項１６】
蛍光物質が施された被照明体に対して紫外光を照射する光源部と、
前記被照明体から反射された光を集光する集光体と、
前記集光体により集光された光を電気信号へと変換するイメージセンサと、
前記被照明体と前記イメージセンサとの間に配置され、前記被照明体により反射される光のうち、紫外光をカットし、前記蛍光物質により発生する蛍光を透過する紫外カット部と、を有するイメージセンサユニットであって、
前記光源部から照射された紫外光の一部を、前記被照明体を介さずに前記イメージセンサに入射させるように反射する反射部を備える
ことを特徴とするイメージセンサユニット。
【請求項１７】
請求項１ないし１６の何れか１項に記載のイメージセンサユニットと、
前記イメージセンサユニットと前記被照明体とを相対的に移送させる移送部と、を有することを特徴とする画像読取装置。
【請求項１８】
前記光源部は、前記集光体よりも、前記被照明体を相対的に移動させる際の上流側に配置されている、ことを特徴とする請求項１７に記載の画像読取装置。
【請求項１９】
請求項１ないし１６の何れか１項に記載のイメージセンサユニットと、
前記イメージセンサユニットと前記被照明体とを相対的に移送させる移送部と、
前記イメージセンサユニットにより読取られた画像を記録媒体に形成する画像形成部と、を有することを特徴とする画像形成装置。
【請求項２０】
請求項１ないし１６の何れか１項に記載のイメージセンサユニットと、
前記被照明体としての紙葉類を移送させる移送部と、
前記紙葉類を識別する基準となる基準データを記憶する記憶部と、
前記イメージセンサユニットに読取られた画像情報と、前記記憶部に記憶されている前記基準データとを比較して前記紙葉類を識別する比較部と、を有することを特徴とする紙葉類識別装置。
【手続補正２】
【補正対象書類名】明細書
【補正対象項目名】０００７
【補正方法】変更
【補正の内容】
【０００７】
本発明のイメージセンサユニットは、蛍光物質が施された被照明体に対して紫外光を照射する光源部と、前記被照明体から反射された光を集光する集光体と、前記被照明体と前記集光体との間の光路上に配置された透過部材と、前記透過部材を保持する保持体と、主走査方向に沿って配列された複数の光電変換素子を含み、前記集光体により集光された光を電気信号へと変換するイメージセンサと、前記被照明体と前記イメージセンサとの間に配置され、前記被照明体により反射される光のうち、紫外光をカットし、前記蛍光物質により発生する蛍光を透過する紫外カット部と、を有するイメージセンサユニットであって、前記光源部から照射された紫外光の一部を、前記被照明体を介さずに前記イメージセンサに入射させるように反射する反射部を備えており、前記反射部は、前記保持体の前記イメージセンサ側の面に設けられており、前記反射部の前記主走査方向と垂直な副走査方向における幅が、前記集光体の前記副走査方向における幅よりも広く、前記保持体が遮光性を有する材料で形成されている、ことを特徴とする。
本発明の画像読取装置は、上述したイメージセンサユニットと、前記イメージセンサユニットと前記被照明体とを相対的に移送させる移送部と、を有することを特徴とする。
本発明の画像形成装置は、上述したイメージセンサユニットと、前記イメージセンサユニットと前記被照明体とを相対的に移送させる移送部と、前記イメージセンサユニットにより読取られた画像を記録媒体に形成する画像形成部と、を有することを特徴とする。
本発明の紙葉類識別装置は、上述したイメージセンサユニットと、前記被照明体としての紙葉類を移送させる移送部と、前記紙葉類を識別する基準となる基準データを記憶する記憶部と、前記イメージセンサユニットに読取られた画像情報と、前記記憶部に記憶されている前記基準データとを比較して前記紙葉類を識別する比較部と、を有することを特徴とする。